(57)【要約】【課題】デジタルテレビ放送のチャンネル切り替えに際して、視聴者の快適性を向上させる。【解決手段】デジタルテレビ放送の受信システム１に、第１・第２チューナモジュール３１，３２、第１・第２デコーダ３３，３４、第１・第２ディスプレイ２１，２２、受信番組制御部２７１、番組情報作成部２７３および表示制御部２７４を設ける。受信番組制御部２７１は順位情報２６に示されるチャンネルの優先順位に従って裏番組を受信するチューナを決定する。また、番組情報作成部２７３は、順位情報２６に応じたレイアウトで裏番組に関する番組データ３７を作成する。表示制御部２７４は、表番組を第１ディスプレイ２１に表示させつつ、第２ディスプレイ２２に番組データ３７を表示させる。【選択図】図２
2010153953.tif 000002
【特許請求の範囲】
【請求項１】
デジタルテレビ放送の受信システムであって、
順位情報を記憶する記憶手段と、
表番組を提供するチャンネルを示すチャンネル指定情報を取得する取得手段と、
それぞれがデジタルテレビ放送における番組を受信する複数のチューナと、
前記複数のチューナによって受信された番組をそれぞれが復号化する複数のデコーダと、
主表示領域および補助表示領域を有する表示手段と、
前記取得手段により取得されたチャンネル指定情報に基づいて前記複数のチューナのうちの１つに表番組を受信させるとともに、前記記憶手段に記憶されている順位情報に応じてチャンネルを切り替えつつ前記複数のチューナのうちの少なくとも１つに裏番組を受信させる受信番組制御手段と、
前記複数のデコーダによって復号化された番組に基づいて、前記番組に関する情報を作成する番組情報作成手段と、
前記表示手段の前記主表示領域に表番組を表示させるとともに、前記番組情報作成手段により作成された番組に関する情報から裏番組に関する情報を抽出して前記表示手段の前記補助表示領域に表示せる表示制御手段と、
を備えることを特徴とする受信システム。
【請求項２】
請求項１に記載の受信システムであって、
前記表示制御手段は、前記取得手段により取得されたチャンネル指定情報に示されるチャンネルが、前記複数のデコーダのうちの少なくとも１つで復号化中の番組を提供しているチャンネルである場合、前記復号化中の番組を表番組として前記主表示領域に表示させることを特徴とする受信システム。
【請求項３】
請求項２に記載の受信システムであって、
前記番組情報作成手段は、前記複数のデコーダのうちの少なくとも１つで復号化中の裏番組を識別する識別情報を前記裏番組に関する情報として前記番組に関する情報に含めることを特徴とする受信システム。
【請求項４】
請求項１ないし３のいずれかに記載の受信システムであって、
動作モードをザッピングモードに切り替える切替手段をさらに備え、
前記ザッピングモードにおいて、前記表示制御手段は、前記複数のデコーダのうちの少なくとも１つで復号化中の裏番組を表番組に切り替えて前記主表示領域に表示させることを特徴とする受信システム。
【請求項５】
請求項４に記載の受信システムであって、
前記表示制御手段は、所定の時間間隔で裏番組を表番組に切り替えることを特徴とする受信システム。
【請求項６】
請求項４または５に記載の受信システムであって、
前記ザッピングモードにおいて、前記受信番組制御手段は、前記主表示領域に表示されている表番組が変更されるときに、変更前の表番組を受信しているチューナに、他のチューナによって受信されていない番組の受信を開始させることを特徴とする受信システム。
【請求項７】
請求項１ないし６のいずれかに記載の受信システムであって、
前記順位情報は、番組を提供するチャンネルの放送電波の受信感度に応じて更新されることを特徴とする受信システム。
【請求項８】
請求項１ないし７のいずれかに記載の受信システムであって、
前記順位情報は、チャンネルごとの過去の視聴率に応じて更新されることを特徴とする受信システム。
【請求項９】
請求項１ないし８のいずれかに記載の受信システムであって、
前記順位情報は、表番組に含まれる番組情報と裏番組に含まれる番組情報とに応じて更新されることを特徴とする受信システム。
【請求項１０】
請求項１ないし９のいずれかに記載の受信システムであって、
前記番組情報作成手段は、前記記憶手段に記憶された順位情報に応じて前記番組に関する情報を作成することを特徴とする受信システム。
【請求項１１】
請求項１ないし１０のいずれかに記載の受信システムであって、
前記表示手段は、
前記主表示領域を表示する第１ディスプレイと、
前記補助表示領域を表示する第２ディスプレイと、
を備えることを特徴とする受信システム。
【請求項１２】
デジタルテレビ放送の受信方法であって、
(a) 順位情報を記憶する工程と、
(b) 表番組を提供するチャンネルを示すチャンネル指定情報を取得する工程と、
(c) 取得されたチャンネル指定情報に基づいて複数のチューナのうちの１つに表番組を受信させつつ、複数のデコーダのうちの１つに前記表番組を復号化させる工程と、
(d) 前記順位情報に応じてチャンネルを切り替えながら複数のチューナのうちの少なくとも１つに裏番組を受信させつつ、複数のデコーダのうちの少なくとも１つに前記裏番組を復号化させる工程と、
(e) 前記(c)工程および前記(d)工程において復号化された番組に基づいて、前記番組に関する情報を作成する工程と、
(f) 前記(c)工程において復号化された表番組を表示手段の主表示領域に表示させる工程と、
(g) 前記番組に関する情報から前記(d)工程において復号化された裏番組に関する情報を抽出して表示手段の補助表示領域に表示せる工程と、
を有することを特徴とする受信方法。
【請求項１３】
請求項１２に記載の受信方法であって、
(h) 取得されたチャンネル指定情報に示されるチャンネルが、前記複数のデコーダのうちの少なくとも１つで復号化中の番組を提供しているチャンネルである場合、前記復号化中の番組を表番組として前記主表示領域に表示させる工程をさらに有することを特徴とする受信方法。
【請求項１４】
請求項１２または１３に記載の受信方法であって、
(i) 動作モードをザッピングモードに切り替える工程と、
(j) 前記ザッピングモードにおいて、前記複数のデコーダのうちの少なくとも１つで復号化中の裏番組を表番組に切り替えて前記主表示領域に表示させる工程と、
をさらに有することを特徴とする受信方法。
【請求項１５】
記憶手段と、取得手段と、それぞれがデジタルテレビ放送における番組を受信する複数のチューナと、前記複数のチューナによって受信された番組をそれぞれが復号化する複数のデコーダと、主表示領域および補助表示領域を有する表示手段とを備えるコンピュータによって実行されるプログラムであって、前記コンピュータによる前記プログラムの実行は、前記コンピュータに、
(a) 順位情報を前記記憶手段に記憶する工程と、
(b) 表番組を提供するチャンネルを示すチャンネル指定情報を前記取得手段により取得する工程と、
(c) 取得されたチャンネル指定情報に基づいて前記複数のチューナのうちの１つに表番組を受信させつつ、前記複数のデコーダのうちの１つに前記表番組を復号化させる工程と、
(d) 前記順位情報に応じてチャンネルを切り替えながら前記複数のチューナのうちの少なくとも１つに裏番組を受信させつつ、前記複数のデコーダのうちの少なくとも１つに前記裏番組を復号化させる工程と、
(e) 前記(c)工程および前記(d)工程において復号化された番組に基づいて、前記番組に関する情報を作成する工程と、
(f) 前記(c)工程において復号化された表番組を前記表示手段の主表示領域に表示させる工程と、
(g) 前記番組に関する情報から前記(d)工程において復号化された裏番組に関する情報を抽出して前記表示手段の補助表示領域に表示せる工程と、
を実行させることを特徴とするプログラム。
【請求項１６】
請求項１５に記載のプログラムであって、前記コンピュータによる前記プログラムの実行は、前記コンピュータに、
(h) 取得されたチャンネル指定情報に示されるチャンネルが、前記複数のデコーダのうちの少なくとも１つで復号化中の番組を提供しているチャンネルである場合、前記復号化中の番組を表番組として前記主表示領域に表示させる工程をさらに実行させることを特徴とするプログラム。
【請求項１７】
請求項１５または１６に記載のプログラムであって、前記コンピュータによる前記プログラムの実行は、前記コンピュータに、
(i) 動作モードをザッピングモードに切り替える工程と、
(j) 前記ザッピングモードにおいて、前記複数のデコーダのうちの少なくとも１つで復号化中の裏番組を表番組に切り替えて前記主表示領域に表示させる工程と、
をさらに実行させることを特徴とするプログラム。
【発明の詳細な説明】
【技術分野】
【０００１】
本発明は、デジタルテレビ放送を受信して表示する技術に関する。より詳しくは、デジタルテレビ放送のチャンネル切り替えに際して、視聴者の快適性を向上させる技術に関する。
【背景技術】
【０００２】
デジタルテレビ放送の場合、映像のデコードに時間がかかるため、スムーズなチャンネル切り替えができないという問題がある。特に、視聴者が次々とチャンネルを切り替えたときに、各チャンネルでデコード待ち時間が発生すると視聴者に不快感を与えることになる。
【０００３】
従来から、チャンネル切り替え時のブラックアウト期間に、視聴者に与える不快感を抑制する技術が提案されている。例えば、特許文献１には、デコード待ちによるブラックアウト期間に、予め取得しておいた切り替え先のチャンネル画像を表示することで、映像の途切れ時間を短縮する技術が記載されている。また、特許文献２には、切り替え先のチャンネルで放送されていた番組を、チャンネルの切り替え時に即座に表示する技術が記載されている。
【０００４】
【特許文献１】特開２０００−０４１１９７号公報
【特許文献２】特開２００８−００５４２９号公報
【発明の開示】
【発明が解決しようとする課題】
【０００５】
ところが、従来の技術において、チャンネルを切り替えたときに表示される映像は、切り替え先のチャンネルにおいて過去に放送していた番組の映像であり、実際の映像に切り替わるときに違和感があるという問題があった。また、視聴する番組をチャンネルを切り替えつつ選択しようとする場面では、例え切り替え先のチャンネルにおける映像を即座に表示したとしても、表示された映像が過去のものであれば、その過去の映像が、そのチャンネルで現在提供されている番組を継続して視聴するか否かを適切に判断するのに充分な情報とは限らないという問題もあった。
【０００６】
本発明は、上記課題に鑑みてなされたものであり、デジタルテレビ放送のチャンネル切り替えに際して、視聴者の快適性を向上させることを目的とする。
【課題を解決するための手段】
【０００７】
上記の課題を解決するため、請求項１の発明は、デジタルテレビ放送の受信システムであって、順位情報を記憶する記憶手段と、表番組を提供するチャンネルを示すチャンネル指定情報を取得する取得手段と、それぞれがデジタルテレビ放送における番組を受信する複数のチューナと、前記複数のチューナによって受信された番組をそれぞれが復号化する複数のデコーダと、主表示領域および補助表示領域を有する表示手段と、前記取得手段により取得されたチャンネル指定情報に基づいて前記複数のチューナのうちの１つに表番組を受信させるとともに、前記記憶手段に記憶されている順位情報に応じてチャンネルを切り替えつつ前記複数のチューナのうちの少なくとも１つに裏番組を受信させる受信番組制御手段と、前記複数のデコーダによって復号化された番組に基づいて、前記番組に関する情報を作成する番組情報作成手段と、前記表示手段の前記主表示領域に表番組を表示させるとともに、前記番組情報作成手段により作成された番組に関する情報から裏番組に関する情報を抽出して前記表示手段の前記補助表示領域に表示せる表示制御手段とを備えることを特徴とする。
【０００８】
また、請求項２の発明は、請求項１の発明に係る受信システムであって、前記表示制御手段は、前記取得手段により取得されたチャンネル指定情報に示されるチャンネルが、前記複数のデコーダのうちの少なくとも１つで復号化中の番組を提供しているチャンネルである場合、前記復号化中の番組を表番組として前記主表示領域に表示させることを特徴とする。
【０００９】
また、請求項３の発明は、請求項２の発明に係る受信システムであって、前記番組情報作成手段は、前記複数のデコーダのうちの少なくとも１つで復号化中の裏番組を識別する識別情報を前記裏番組に関する情報として前記番組に関する情報に含めることを特徴とする。
【００１０】
また、請求項４の発明は、請求項１ないし３のいずれかの発明に係る受信システムであって、動作モードをザッピングモードに切り替える切替手段をさらに備え、前記ザッピングモードにおいて、前記表示制御手段は、前記複数のデコーダのうちの少なくとも１つで復号化中の裏番組を表番組に切り替えて前記主表示領域に表示させることを特徴とする。
【００１１】
また、請求項５の発明は、請求項４の発明に係る受信システムであって、前記表示制御手段は、所定の時間間隔で裏番組を表番組に切り替えることを特徴とする。
【００１２】
また、請求項６の発明は、請求項４または５の発明に係る受信システムであって、前記ザッピングモードにおいて、前記受信番組制御手段は、前記主表示領域に表示されている表番組が変更されるときに、変更前の表番組を受信しているチューナに、他のチューナによって受信されていない番組の受信を開始させることを特徴とする。
【００１３】
また、請求項７の発明は、請求項１ないし６のいずれかの発明に係る受信システムであって、前記順位情報は、番組を提供するチャンネルの放送電波の受信感度に応じて更新されることを特徴とする。
【００１４】
また、請求項８の発明は、請求項１ないし７のいずれかの発明に係る受信システムであって、前記順位情報は、チャンネルごとの過去の視聴率に応じて更新されることを特徴とする。
【００１５】
また、請求項９の発明は、請求項１ないし８のいずれかの発明に係る受信システムであって、前記順位情報は、表番組に含まれる番組情報と裏番組に含まれる番組情報とに応じて更新されることを特徴とする。
【００１６】
また、請求項１０の発明は、請求項１ないし９のいずれかの発明に係る受信システムであって、前記番組情報作成手段は、前記記憶手段に記憶された順位情報に応じて前記番組に関する情報を作成することを特徴とする。
【００１７】
また、請求項１１の発明は、請求項１ないし１０のいずれかの発明に係る受信システムであって、前記表示手段は、前記主表示領域を表示する第１ディスプレイと、前記補助表示領域を表示する第２ディスプレイとを備えることを特徴とする。
【００１８】
また、請求項１２の発明は、デジタルテレビ放送の受信方法であって、(a)順位情報を記憶する工程と、(b)表番組を提供するチャンネルを示すチャンネル指定情報を取得する工程と、(c)取得されたチャンネル指定情報に基づいて複数のチューナのうちの１つに表番組を受信させつつ、複数のデコーダのうちの１つに前記表番組を復号化させる工程と、(d)前記順位情報に応じてチャンネルを切り替えながら複数のチューナのうちの少なくとも１つに裏番組を受信させつつ、複数のデコーダのうちの少なくとも１つに前記裏番組を復号化させる工程と、(e)前記(c)工程および前記(d)工程において復号化された番組に基づいて、前記番組に関する情報を作成する工程と、(f)前記(c)工程において復号化された表番組を表示手段の主表示領域に表示させる工程と、(g)前記番組に関する情報から前記(d)工程において復号化された裏番組に関する情報を抽出して表示手段の補助表示領域に表示せる工程とを有することを特徴とする。
【００１９】
また、請求項１３の発明は、請求項１２の発明に係る受信方法であって、(h)取得されたチャンネル指定情報に示されるチャンネルが、前記複数のデコーダのうちの少なくとも１つで復号化中の番組を提供しているチャンネルである場合、前記復号化中の番組を表番組として前記主表示領域に表示させる工程をさらに有することを特徴とする。
【００２０】
また、請求項１４の発明は、請求項１２または１３の発明に係る受信方法であって、(i)動作モードをザッピングモードに切り替える工程と、(j)前記ザッピングモードにおいて、前記複数のデコーダのうちの少なくとも１つで復号化中の裏番組を表番組に切り替えて前記主表示領域に表示させる工程とをさらに有することを特徴とする。
【００２１】
また、請求項１５の発明は、記憶手段と、取得手段と、それぞれがデジタルテレビ放送における番組を受信する複数のチューナと、前記複数のチューナによって受信された番組をそれぞれが復号化する複数のデコーダと、主表示領域および補助表示領域を有する表示手段とを備えるコンピュータによって実行されるプログラムであって、前記コンピュータによる前記プログラムの実行は、前記コンピュータに、(a)順位情報を前記記憶手段に記憶する工程と、(b)表番組を提供するチャンネルを示すチャンネル指定情報を前記取得手段により取得する工程と、(c)取得されたチャンネル指定情報に基づいて前記複数のチューナのうちの１つに表番組を受信させつつ、前記複数のデコーダのうちの１つに前記表番組を復号化させる工程と、(d)前記順位情報に応じてチャンネルを切り替えながら前記複数のチューナのうちの少なくとも１つに裏番組を受信させつつ、前記複数のデコーダのうちの少なくとも１つに前記裏番組を復号化させる工程と、(e)前記(c)工程および前記(d)工程において復号化された番組に基づいて、前記番組に関する情報を作成する工程と、(f)前記(c)工程において復号化された表番組を前記表示手段の主表示領域に表示させる工程と、(g)前記番組に関する情報から前記(d)工程において復号化された裏番組に関する情報を抽出して前記表示手段の補助表示領域に表示せる工程とを実行させることを特徴とする。
【００２２】
また、請求項１６の発明は、請求項１５の発明に係るプログラムであって、前記コンピュータによる前記プログラムの実行は、前記コンピュータに、(h)取得されたチャンネル指定情報に示されるチャンネルが、前記複数のデコーダのうちの少なくとも１つで復号化中の番組を提供しているチャンネルである場合、前記復号化中の番組を表番組として前記主表示領域に表示させる工程をさらに実行させることを特徴とする。
【００２３】
また、請求項１７の発明は、請求項１５または１６の発明に係るプログラムであって、前記コンピュータによる前記プログラムの実行は、前記コンピュータに、(i)動作モードをザッピングモードに切り替える工程と、(j)前記ザッピングモードにおいて、前記複数のデコーダのうちの少なくとも１つで復号化中の裏番組を表番組に切り替えて前記主表示領域に表示させる工程とをさらに実行させることを特徴とする。
【発明の効果】
【００２４】
請求項１ないし１７に記載発明は、取得されたチャンネル指定情報に基づいて複数のチューナのうちの１つに表番組を受信させるとともに、記憶されている順位情報に応じてチャンネルを切り替えつつ複数のチューナのうちの少なくとも１つに裏番組を受信させ、複数のデコーダによって復号化された番組に基づいて、当該番組に関する情報を作成し、主表示領域に表番組を表示させるとともに、作成された番組に関する情報から裏番組に関する情報を抽出して補助表示領域に表示せる。これにより、順位情報に応じて受信された裏番組に関する情報が表示されるので、視聴者に応じた適切な番組を選択することができる。したがって、チャンネル切り替えの発生頻度を抑制することができ、視聴者の快適性が向上する。
【００２５】
請求項２，１３，１６に記載の発明は、取得されたチャンネル指定情報に示されるチャンネルが、複数のデコーダのうちの少なくとも１つで復号化中の番組を提供しているチャンネルである場合、当該復号化中の番組を表番組として主表示領域に表示させることにより、切り替え先のチャンネルの現在の映像を即座に主表示領域に表示できる。
【００２６】
請求項３に記載の発明は、複数のデコーダのうちの少なくとも１つで復号化中の裏番組を識別する識別情報を当該裏番組に関する情報として番組に関する情報に含めることにより、現在放送中の映像を即座に表示可能なチャンネルを、複数の裏番組の中から予め視聴者に知らせることができる。したがって、視聴者は即座に映像を見ることができるチャンネルを効率的に選択することができる。
【００２７】
請求項４，１４，１７に記載の発明は、ザッピングモードにおいて、複数のデコーダのうちの少なくとも１つで復号化中の裏番組を表番組に切り替えて主表示領域に表示させることにより、ザッピングモードに切り替えたときに、即座に、他の番組の現在の映像が表示される。
【００２８】
請求項５に記載の発明は、所定の時間間隔で裏番組を表番組に切り替えることにより、表番組として表示される番組が自動的に次々と変更されるため、視聴者は好みでない番組が表示された場合でも、自発的にチャンネルを変更する必要がない。したがって、視聴者の負担が軽減される。
【００２９】
請求項６に記載の発明は、ザッピングモードにおいて、主表示領域に表示されている表番組が変更されるときに、変更前の表番組を受信しているチューナに、他のチューナによって受信されていない番組の受信を開始させることにより、ザッピングモードで順次表示される番組を先回りして受信しておくことが可能となる。
【００３０】
請求項７に記載の発明は、順位情報が、番組を提供するチャンネルの放送電波の受信感度に応じて更新されることにより、受信感度の低いチャンネルの受信を抑制できる。したがって、より適切に裏番組の受信を制御できる。
【００３１】
請求項８に記載の発明は、順位情報が、チャンネルごとの過去の視聴率に応じて更新されることにより、視聴者に応じて順位情報をカスタマイズできる。
【００３２】
請求項９に記載の発明は、順位情報が、表番組に含まれる番組情報と裏番組に含まれる番組情報とに応じて更新されることにより、視聴者に応じて順位情報をカスタマイズできる。
【００３３】
請求項１０に記載の発明は、記憶手段に記憶された順位情報に応じて番組に関する情報を作成することにより、順位情報に応じて、順位の高い番組は「動画」、順位が中間の番組は「静止画」、順位の低い番組は「文字情報」といったように、当該番組に関する情報を変更することができ、表現方法を番組ごとに変更できる。
【００３４】
請求項１１に記載の発明は、主表示領域を表示する第１ディスプレイと、補助表示領域を表示する第２ディスプレイとを備えることにより、主表示領域を表示する専用のハードウェアが設けられるので表番組が見やすくなる。また、表示手段に表示されている情報の区別がつきやすい。
【発明を実施するための最良の形態】
【００３５】
以下、本発明の好適な実施の形態について、添付の図面を参照しつつ、詳細に説明する。
【００３６】
＜１．  実施の形態＞
図１は、本発明に係る受信システム１の構成を示す図である。図１に示すように、受信システム１は主に本体部２およびカード３から構成されている。
【００３７】
本体部２は、操作部２０、第１ディスプレイ２１、第２ディスプレイ２２、カードスロット２３、メモリ２４およびＣＰＵ２７を備えており、図１に示すように、各構成が互いに接続されている。本実施の形態における本体部２は、いわゆる携帯型ゲーム機として構成されており、一般的なコンピュータとして構成されている。
【００３８】
操作部２０は、視聴者（受信システム１のユーザ）が本体部２に指示情報を入力するために使用される。本実施の形態における操作部２０が受け付ける指示情報としては、例えば、放送事業者等によって提供されているデジタルテレビ放送の番組の中から視聴者が視聴したいと望む番組を指定するための情報（チャンネル指定情報）や、受信システム１の動作モードをザッピングモードと通常モードとの間で切り替える情報（モード切替情報）等がある。
【００３９】
なお、以下の説明では、第１ディスプレイ２１に表示される番組を「表番組」と称し、表番組以外の番組を「裏番組」と称する。また、動作モードについては後述する。
【００４０】
操作部２０としては、各種ボタン、キー、ジョイスティック、ポインティングデバイス等の装置が該当する。図１では、説明の都合上、操作部２０は本体部２に組み込まれた構成として図示しているが、操作部２０は、例えば、ＵＳＢ端子を介して接続されるキーボードや無線で接続されるリモコン等であってもよい。
【００４１】
第１ディスプレイ２１および第２ディスプレイ２２は、いずれも液晶パネルを備えた表示装置であって、ＣＰＵ２７からの制御に従って、各種データを画面に表示する機能を有している。このように本実施の形態における受信システム１は、２つの独立した表示装置を備えたコンピュータとして構成されている。なお、以下では、第１ディスプレイ２１の表示領域を「主表示領域」と称し、第２ディスプレイ２２の表示領域を「補助表示領域」と称する場合がある。
【００４２】
受信システム１は、表番組（視聴者が最も長時間視聴する）を表示する主表示領域のために専用のハードウェア（第１ディスプレイ２１）を設けているので、同じディスプレイの表示領域を主表示領域と補助表示領域とに分割しつつ、それぞれに表番組と裏番組とを表示する場合に比べて表番組が見やすいという効果がある。また、表示する情報に応じて別個独立したハードウェアを用いることにより、それぞれに表示されている情報の区別（表番組か裏番組かの区別）がつきやすいという利便性もある。
【００４３】
カードスロット２３は、カード３を本体部２に装着するためのインタフェースである。本体部２は、カードスロット２３を備えることにより、カード３を着脱自在に装着することができる。
【００４４】
メモリ２４は、プログラム２５や順位情報２６といった各種データを記憶する。図１では、メモリ２４を一つのハードウェアであるかのように図示しているが、一般的にメモリ２４は複数のハードウェアの集合体として構成されている。例えば、メモリ２４は、読み取り専用のＲＯＭや、ＣＰＵ２７の一時的なワーキングエリアとして使用される揮発性のＲＡＭ、長期的にデータを保存することができる不揮発性のフラッシュメモリ等から構成される。すなわち、用途や容量、あるいはコストに応じて様々な記憶装置がメモリ２４を構成している。
【００４５】
メモリ２４に格納されるプログラム２５はＣＰＵ２７によって実行可能である。また、プログラム２５は、カード３からロードされるプログラム３６の一部または全部を含むものとして以下の説明を行う。すなわち、以下の説明において、プログラム２５によって実現される機能として説明する機能の一部は、カード３が本体部２に装着され、カード３からプログラム３６がメモリ２４にロードされて実現されるものも含んでいる。
【００４６】
また、メモリ２４に格納される順位情報２６は、デジタルテレビ放送の各チャンネルを裏番組として受信するときの優先順位を示すデータである。詳細は後述するが、本実施の形態における受信システム１は、裏番組を提供している複数のチャンネルを、順位情報２６に示される優先順位の高い順番に、順次、受信する。
【００４７】
ＣＰＵ２７は、プログラム２５に従って動作することにより、各種データの演算を行うとともに、受信システム１の各構成を制御する。なお、ＣＰＵ２７の機能については、詳細を後述する。
【００４８】
図１に示すカード３は、カードインタフェース３０、第１チューナモジュール３１、第２チューナモジュール３２、第１デコーダ３３、第２デコーダ３４およびメモリ３５を備えており、図１に示すように、各構成が互いに接続されている。本実施の形態におけるカード３は、いわゆる携帯型ゲーム機として構成されている本体部２に装着されることにより、本体部２にデジタルテレビ放送を受信する機能を提供する。
【００４９】
カードインタフェース３０は、本体部２のカードスロット２３と迎合する形状となっており、本体部２とカード３とを物理的および電気的に接続する機能を有する。
【００５０】
第１チューナモジュール３１および第２チューナモジュール３２は、それぞれがデジタルテレビ放送における番組を受信する。より詳しくは、第１チューナモジュール３１および第２チューナモジュール３２は、それぞれが図示しないアンテナ部、チューナ、ＯＦＤＭ復調部等を備えており、受信した電波から番組を表現した信号を取り出す機能を有している。第１チューナモジュール３１および第２チューナモジュール３２によって受信される番組は、ＣＰＵ２７からの制御信号（チャンネル指定信号）によって決定される。
【００５１】
また、第１チューナモジュール３１および第２チューナモジュール３２は、各番組の受信感度をＣＰＵ２７に伝達する機能も有している。
【００５２】
第１デコーダ３３および第２デコーダ３４は、第１チューナモジュール３１および第２チューナモジュール３２によって受信された番組をそれぞれが復号化する。本実施の形態では、第１デコーダ３３が第１チューナモジュール３１によって受信された番組を復号化し、第２デコーダ３４が第２チューナモジュール３２によって受信された番組を復号化するものとする。
【００５３】
なお、デジタルテレビ放送では、各チャンネルにおいて放送される電波（信号）には、それぞれのチャンネルが提供する番組についての、映像（動画）情報、音声情報および番組情報（テキスト）が含まれている。第１デコーダ３３および第２デコーダ３４は、これらの情報をすべて復号化する機能を有しているものとして説明するが、もちろんこれらのデータを個別に設けられたハードウェアでそれぞれ復号化する構成としてもよい。
【００５４】
メモリ３５は、プログラム３６や番組データ３７といった各種データを記憶する。図１では、メモリ３５を一つのハードウェアであるかのように図示しているが、一般的にメモリ３５は複数のハードウェアの集合体として構成されている。すなわち、メモリ２４と同様、メモリ３５は、用途や容量、あるいはコストに応じて様々な記憶装置によって構成される。
【００５５】
メモリ３５に記憶される番組データ３７とは、放送電波に含まれる情報のうち受信システム１が受信した情報（映像情報のみならず、音声情報および番組情報を含む。）に基づいてＣＰＵ２７によって作成され、チャンネルごとにチャンネル番号に対応付けて管理されるデータである。番組データ３７の具体例としては、動画像や、静止画像、番組情報（番組名、番組のジャンルおよび字幕等）、受信システム１が復号化中の裏番組であることを識別するための識別情報（例えばアイコン画像）、受信時間等である。
【００５６】
このような情報を含んでいることにより、番組データ３７は、各チャンネルで、どのような番組が提供されているかを示すデータとなる。なお、番組データ３７は、裏番組に関する情報のみならず、表番組に関する情報も含む情報である。
【００５７】
図２は、受信システム１の機能ブロックをデータの流れとともに示す図である。図２に示す切替部２７０、受信番組制御部２７１、更新部２７２、番組情報作成部２７３および表示制御部２７４は、ＣＰＵ２７がプログラム２５に従って動作することにより実現される機能ブロックである。
【００５８】
切替部２７０は、操作部２０から伝達される指示情報に応じて、受信システム１の動作モードをザッピングモードに切り替える機能を有している。具体的には、操作部２０からモード切替情報が伝達されたときに動作モードを「ザッピングモード」に設定し、操作部２０からチャネル指定情報が伝達されたときに動作モードを「通常モード」に設定する。
【００５９】
すなわち、視聴者が、受信システム１に対して、視聴したいと望む番組のチャンネルをチャンネル指定情報によって具体的に指定したときに、切替部２７０はザッピングモードを終了させる。
【００６０】
なお、切替部２７０は、ザッピングモードにおいて、受信番組制御部２７１および表示制御部２７４に対して、所定の時間間隔で生成されるタイミング信号を伝達する。切替部２７０から受信番組制御部２７１および表示制御部２７４に対して伝達される１回目のタイミング信号は、動作モードがザッピングモードに切り替えられたことを示す信号となる。
【００６１】
受信番組制御部２７１は、操作部２０により取得されたチャンネル指定情報に基づいて第１チューナモジュール３１または第２チューナモジュール３２のうちの１つに表番組を受信させるとともに、メモリ２４に記憶されている順位情報２６に応じてチャンネルを切り替えつつ第１チューナモジュール３１または第２チューナモジュール３２のうちの少なくとも１つに裏番組を受信させる。
【００６２】
すなわち、受信番組制御部２７１は、第１チューナモジュール３１または第２チューナモジュール３２のいずれか一方に、操作部２０から伝達されるチャンネル指定情報に示されるチャンネルの番組（これが表番組となる）を受信させる。なお、電源投入時には、チャンネル指定情報はメモリ２４（またはメモリ３５）に格納されているものとし、これを取得して表番組のチャンネルを決定するものとする。
【００６３】
また、受信番組制御部２７１は、表番組を受信していないチューナに他の番組（これが裏番組となる）を受信させる。このとき、受信番組制御部２７１は、メモリ２４に記憶されている順位情報２６に応じてチャンネルを切り替えつつ、優先順位の高いチャンネルから順次に裏番組を受信させる。
【００６４】
さらに、受信番組制御部２７１は、ザッピングモードにおいて切替部２７０から伝達されるタイミング信号に応じて、表番組を受信しているチューナに、他のチューナによって受信されていない番組の受信を開始させる（詳細は後述する）。
【００６５】
更新部２７２は、メモリ２４に記憶されている順位情報２６を所定のタイミング（後述）で更新する機能を有する。更新部２７２は、式１を演算して各チャンネルごとに重みＸの値を求め、求めた重みＸの値を各チャンネルごとに順位情報２６に格納することにより順位情報２６を更新する。
【００６６】
Ｘn＝Ａn×（Ｂn＋Ｃn＋Ｄn）  ・・・  式１
【００６７】
ただし、式１におけるｎは、チャンネル番号を示す添え字である。
【００６８】
また、式１におけるＡは、受信感度に関する値であり、受信状態によって、「０」、「０．５」または「１」の値となる。更新部２７２は、図２では信号線を省略しているが、第１チューナモジュール３１および第２チューナモジュール３２から得られた受信感度を示す情報からＡの値を決定する。これにより、受信感度の高いチャンネルほどＡの値が高くなり、重みＸの値が高くなる。そして、受信感度が悪くＡの値が「０」のチャンネルについては、重みＸの値が「０」となる。
【００６９】
また、式１におけるＢは、チャンネルごとの過去の視聴率に関する値である。更新部２７２は、過去の視聴率に関する情報を履歴情報としてメモリ２４に記憶しておくものとする。更新部２７２は、最も視聴率の低いチャンネルのＢの値を「０」とし、二番目に視聴率の低いチャンネルのＢの値を「１」とする。すなわち、更新部２７２は、視聴率の順に、Ｂの値を「１」ずつ増加した値とする。これにより、視聴者がよく視聴するチャンネルほどＢの値が高くなり、重みＸの値も高くなる。
【００７０】
また、式１のＣは、キーワードの一致度に関する値であって、「０」または「２」の値である。更新部２７２は、視聴者が一日の間に複数の番組を視聴した場合に、各番組の番組情報で共通する文言があれば、それをキーワード情報（図示せず）としてメモリ２４に格納しておく。そして、キーワード情報に登録されているキーワードと一致するキーワードが番組情報に含まれている番組を提供しているチャンネルについては、Ｃの値を「２」とする。一方、一致するキーワードが番組情報に含まれていない番組を提供しているチャンネルについては、Ｃの値を「０」とする。これにより、視聴者が一日の間に視聴した表番組と関連性の高いチャンネルはＣの値が高くなり、重みＸの値も高くなる。
【００７１】
さらに、式１のＤは、番組のジャンルの一致度に関する値であり、番組のジャンルに関する情報は番組データ３７を作成する際に別途メモリ３５に格納しておく。更新部２７２は、現在視聴している表番組のジャンルと一致するジャンルの番組を提供しているチャンネルについては、Ｄの値を「１」とし、一致しない番組を提供しているチャンネルについては、Ｄの値を「０」とする。ただし、ワンセグ放送を受信する場合は、番組字幕や番組のジャンル、番組内容情報等を示す番組情報が付加されていない場合がある（これらの情報は番組の送信側の任意事項となっているため。）。この場合は、各番組のジャンルを判断するための用語を予め設定しておいて、番組情報の中から文字検索をかけて、Ｄの値を決定する。
【００７２】
なお、更新部２７２は、表番組を提供しているチャンネルについては、重みＸの値を式１の結果にかかわらず、「０」とする。順位情報２６は裏番組の受信および表示の優先順位を決定するために用いられる情報であるため、表番組については必要がないからである。また、ここに示した式１および値、値の決め方等は例示であって、これに限定されるものではない。
【００７３】
番組情報作成部２７３は、第１デコーダ３３および第２デコーダ３４によって復号化された番組に基づいて、当該番組に関する情報（番組データ３７）を作成する。すなわち、番組情報作成部２７３は、受信システム１が番組を復号化している間、当該復号化しているチャンネルの番組データ３７を作成しつつ新たにメモリ３５に格納する。このとき、番組情報作成部２７３は、順位情報２６を参照して、当該復号化しているチャンネルの優先順位に応じた番組データ３７を作成する。
【００７４】
まず、優先順位に関わらず、番組名、番組のジャンルおよび番組内容情報を番組データ３７とする。さらに、例えば、優先順位の高いチャンネルの番組については、その番組の映像（動画像）を番組データ３７に含める。一方、優先順位が中間の番組については、その番組の映像の一場面（静止画）を番組データ３７に含める。これにより、ワンセグ放送において、チャンネルの優先順位が低く、かつ、番組名、番組のジャンルおよび番組内容情報等が付加されていないチャンネルについては、番組データ３７が作成されないこととなる。
【００７５】
また、番組情報作成部２７３は、あるチャンネルの番組データ３７の更新を開始する際に、当該チャンネルの番組データ３７（更新前の番組データ３７）に、識別情報を付加する。この機能については後述する。
【００７６】
表示制御部２７４は、第１ディスプレイ２１および第２ディスプレイ２２を制御して、第１ディスプレイ２１の主表示領域および第２ディスプレイ２２の補助表示領域に受信システム１が受信した番組や、番組データ３７、チャンネル番号、その他様々な情報を表示させる機能を有している。
【００７７】
表示制御部２７４は、チャンネル指定情報に示されるチャンネルに応じて、第１デコーダ３３または第２デコーダ３４のうち、該当するチャンネルの番組を復号化しているデコーダを、表番組を復号化しているデコーダとして特定する。そして、特定したデコーダからの出力（表番組の映像情報）を第１ディスプレイ２１に表示させる。これにより、受信システム１がチャンネル指定情報に示されるチャンネルが提供する番組をいずれかのデコーダで復号化しているときには、第１ディスプレイ２１（主表示領域）に表番組の映像が即座に表示される。
【００７８】
一方、チャンネル指定情報に示されるチャンネルの番組を復号化しているデコーダが存在せず、このようなデコーダを特定できなかった場合、表示制御部２７４は当該チャンネルについての番組データ３７を表番組に関する情報として第１ディスプレイ２１に表示させる。
【００７９】
また、表示制御部２７４は、メモリ３５に記憶されている番組データ３７を第２ディスプレイ２２（補助表示領域）に表示させるとともに、提供しているチャンネル番号を表示させる。ただし、番組名、字幕情報、番組内容情報等が存在しないチャンネル（番組データ３７が作成されなかったチャンネル）については、表示制御部２７４は、番組データ３７を表示しない。
【００８０】
以上が受信システム１の構成および機能の説明である。次に、受信システム１を用いて実現する、本発明に係る受信方法について説明する。
【００８１】
図３、図４および図５は、本発明に係る受信方法を示す流れ図である。なお、以下の説明では、特に断らない限り、受信システム１の動作モードは「ザッピングモード」には設定されていないものとする。また、後述するステップＳ１４，Ｓ１８，Ｓ３７は、図示の都合上、順次に実行される工程であるかのように図示しているが、実際にはユーザが操作部２０を操作することによって割り込み処理として実行される工程であり、他の工程と並行して実行されることも含むものである。
【００８２】
まず、ＣＰＵ２７は、初期値に基づいて順位情報２６をメモリ２４に記憶させる（ステップＳ１１）。
【００８３】
次に、ＣＰＵ２７は、第１チューナモジュール３１および第２チューナモジュール３２に順番に全チャンネルを受信させて、各チャンネルの受信感度を取得する（ステップＳ１２）。このとき取得された受信感度に基づいて、更新部２７２はステップＳ１１でメモリ２４に格納された順位情報２６を更新する。なお、ステップＳ１２では各チャンネルの受信感度を得るのみであり、各チャンネルにおいて提供されている番組の復号化までは行わない。
【００８４】
次に、ＣＰＵ２７は、チャンネル指定情報をメモリ２４から取得する（ステップＳ１３）。このときに取得されるチャンネル指定情報は、受信システム１において最後に視聴した表番組のチャンネルをメモリ２４に保存しておいたものである（後述するステップＳ３８）。なお、未だ一度も視聴されたことがない場合は、初期値としてのチャンネルが保存されているものとする。
【００８５】
ステップＳ１３が終了すると、ＣＰＵ２７は、表番組がチャンネル指示情報によって変更されたか否かを判定する（ステップＳ１４）。ステップＳ１４の判定は、受信システム１の立ち上げ時には必ず１度だけＹｅｓと判定され、その後は、視聴者が操作部２０を操作して変更するチャンネルを指定した場合にＹｅｓと判定される。
【００８６】
ステップＳ１４においてＹｅｓと判定すると、受信システム１は表番組切り替え処理を実行する（ステップＳ１５）。表番組切り替え処理とは、受信システム１が受信する表番組を新たに設定するための処理である。
【００８７】
図６は、表番組切り替え処理を示す流れ図である。
【００８８】
表番組切り替え処理が開始されると、番組情報作成部２７３は、現在（切り替えられる前）の表番組の番組データ３７（作成中の番組データ３７）の作成を終了してメモリ３５に格納する（ステップＳ４１）。立ち上げ時にステップＳ１５が実行されるときには、作成中の番組データ３７は存在しないので、ステップＳ４１はスキップされる。
【００８９】
次に、表示制御部２７４は、チャンネル指定情報に示されるチャンネルが、受信システム１が備えるデコーダ（第１デコーダ３３または第２デコーダ３４）によって復号中の番組のチャンネルかを判定する（ステップＳ４２）。
【００９０】
受信システム１では、表番組の受信および復号に並行して、裏番組の受信および復号も行われている（ただし立ち上げ時等の特殊な状況を除く。）。したがって、表番組を切り替えるときにおいても、当該表番組を復号化していたデコーダ以外のデコーダは、表番組と異なる番組を復号化している。ステップＳ４２では、チャンネル指定情報に示されるチャンネルが、裏番組としてすでに復号化されている番組のチャンネルと一致するか否かを判定するものである。
【００９１】
チャンネル指定情報に示されるチャンネル（すなわち、視聴者が切り替え先のチャンネルとして選択したチャンネル）が、復号中の番組のチャンネルであった場合（ステップＳ４２においてＹｅｓ）、表示制御部２７４は、復号中の番組を第１ディスプレイに表示させる（ステップＳ４３）。
【００９２】
このように、受信システム１では、裏番組を復号化していたデコーダが、表番組を復号化するデコーダに即座に切り替えられる。言い換えれば、当該デコーダの出力が即座に第１ディスプレイ２１に向けて出力されるように切り替えられる。これにより、受信システム１は、切り換え先のチャンネルが、既に復号化を行っているチャンネルであった場合には、即座に、ユーザが所望する番組の映像を表示することができる。したがって、従来の技術のように過去の映像を表示する場合に比べて、デジタルテレビ放送のチャンネル切り替えに際して、視聴者の快適性を向上させることができる。なお、立ち上げ時にステップＳ１５が実行されるときには、復号中の番組のチャンネルは存在しないので、ステップＳ４２においてＮｏと判定される。
【００９３】
一方、ステップＳ４２においてＮｏと判定した場合、表示制御部２７４は、メモリ３５に格納されている番組データ３７を第１ディスプレイ２１に表示する（ステップＳ４４）。ステップＳ４４で表示される番組データ３７は、メモリ３５に保存されていた過去の番組に関する情報である。しかし、受信システム１の番組情報作成部２７３は、視聴者の好みに応じて決定される順位情報２６に応じて番組データ３７を作成するので、視聴者の好みに応じて選択されたチャンネルの番組については充実した情報となっている。したがって、そのように配慮されていない従来の技術に比べて、視聴者の快適性を向上させることができる。なお、先述のように、表示制御部２７４は、番組データ３７が作成されなかったチャンネルについては、番組データ３７を表示することはない。
【００９４】
第１ディスプレイ２１に番組データ３７を表示させる処理と並行して、受信番組制御部２７１は、新たに表番組に指定されたチャンネルを受信するチューナを第１チューナモジュール３１または第２チューナモジュール３２から選択する。そして、選択されたチューナの信号を復号化するデコーダを識別するデコーダ識別子の値（ここでは「１」または「２」）をフラグＷｏの値としてセットする（ステップＳ４５）。なお、フラグＷｏとは、先述のように表番組を復号化しているデコーダを示すとともに、そのデコーダの復号化の完了を待っている状態であるか否かを示すフラグである。
【００９５】
ステップＳ４５において受信番組制御部２７１は、切り替えられる前の表番組を受信していたチューナを、切り換え先のチャンネルを受信するチューナとして選択する。切り替えられる前の表番組を受信していたチューナは、当該表番組が切り替えられることにより、受信すべき番組のない状態（空状態）となるからである。これに対して、裏番組を受信しているチューナは、表番組のチャンネルが切り替えられても、ただちに受信不要になるわけではない。ただし、立ち上げ時には、いずれのチューナを選択してもよい。
【００９６】
ステップＳ４５が実行されることによって新たに表番組を受信するチューナが決定されると、新たに表番組となった番組の受信と、当該番組の復号化が開始される（ステップＳ４６）。ただし、第１デコーダ３３または第２デコーダ３４による符号化には時間がかかるので、この時点では表番組の現在の映像は第１ディスプレイ２１には表示されない（後述）。
【００９７】
ステップＳ４３またはステップＳ４６が実行されると、更新部２７２が、新たな表番組について、順位情報２６を作成して更新し（ステップＳ４７）、表番組切り替え処理を終了して図３に示す処理に戻る。
【００９８】
図３に戻って、ステップＳ１４またはＳ１５が実行されると、ＣＰＵ２７は、裏番組を変更するか否かを判定する（ステップＳ１６）。ステップＳ１６の判定は、受信システム１の立ち上げ時に必ず１度だけＹｅｓと判定され、その後は、所定の時間が経過するごとにＹｅｓと判定される。
【００９９】
ステップＳ１６においてＹｅｓと判定すると、受信システム１は、裏番組切り替え処理を実行する（ステップＳ１７）。裏番組切り替え処理とは、受信システム１が受信する裏番組を新たに設定するための処理である。
【０１００】
図７は、裏番組切り替え処理を示す流れ図である。
【０１０１】
裏番組切り替え処理が開始されると、番組情報作成部２７３は、現在（切り替えられる前）の裏番組の番組データ３７（作成中の番組データ３７）の作成を終了してメモリ３５に格納する（ステップＳ５１）。立ち上げ時にステップＳ１７が実行されるとき、または、番組データ３７を作成しないチャンネルを裏番組として受信しているときには、作成中の番組データ３７は存在しないので、ステップＳ５１はスキップされる。
【０１０２】
次に、表示制御部２７４が、ステップＳ５１によって更新された番組データ３７を第２ディスプレイ２２に表示させるとともに（ステップＳ５２）、受信番組制御部２７１が順位情報２６に応じて、切り替えられる前のチャンネルの次の優先順位のチャンネルを、次に裏番組として受信するチャンネルとして決定する（ステップＳ５３）。なお、ステップＳ５３で一旦選択されたチャンネルが、ワンセグ放送の優先順位の低いチャンネルであって、かつ、任意情報である番組情報等が付加されていないチャンネル（番組データ３７を作成する必要のないチャンネル）の場合には、当該チャンネルの裏番組としての受信をスキップしてもよい。
【０１０３】
切り換え先のチャンネルを決定すると、受信番組制御部２７１は、当該チャンネルを受信するチューナを選択する。そして、選択されたチューナの信号を復号化するデコーダを識別するデコーダ識別子の値（ここでは「１」または「２」）をフラグＷｕの値としてセットする（ステップＳ５４）。なお、フラグＷｕとは、先述のように裏番組を復号化しているデコーダを示すとともに、そのデコーダの復号化の完了を待っている状態であるか否かを示すフラグである。
【０１０４】
ステップＳ５４において受信番組制御部２７１は、切り替えられる前の裏番組を受信していたチューナを、切り換え先のチャンネルを受信するチューナとして選択する。切り替えられる前の裏番組を受信していたチューナは、当該裏番組が切り替えられることにより、受信すべき番組のない状態（空状態）となるからである。これに対して、表番組を受信しているチューナは、裏番組のチャンネルが切り替えられても、表番組の受信を中断することはない。
【０１０５】
ステップＳ５４が実行されることによって新たに裏番組を受信するチューナが決定されると、新たに受信する裏番組となった番組の受信と、当該番組の復号化が開始される（ステップＳ５５）。
【０１０６】
詳細は後述するが、第１デコーダ３３または第２デコーダ３４による符号化には時間がかかるので、ステップＳ５５が実行された時点では当該裏番組の番組データ３７の作成は開始されない。また、この時点では、当該裏番組を表番組に指定したとしても、即座に映像を表示できないので、番組データ３７に識別情報も付加されない。
【０１０７】
ステップＳ５５が実行されると、受信システム１は、裏番組切り替え処理を終了して図３に示す処理に戻る。
【０１０８】
ステップＳ１６においてＮｏと判定されるか、あるいはステップＳ１７が実行されると、受信システム１の切替部２７０は、操作部２０からの入力に応じて、視聴者によって動作モードがザッピングモードに切り替えるように指示されたか否かを判定する（ステップＳ１８）。ステップＳ１８においてＹｅｓと判定すると、受信システム１はザッピング処理を実行する（ステップＳ１９）。
【０１０９】
図８は、ザッピング処理を示す流れ図である。ザッピング処理が開始されると、切替部２７０は、動作モードをザッピングモードに切り替える（ステップＳ６１）。このとき、番組情報作成部２７３は、作成中の番組データ３７の作成を中止する。
【０１１０】
次に、表示制御部２７４は、裏番組を復号化しているデコーダを特定し（ステップＳ６２）、当該デコーダによって復号化中の裏番組を表番組に切り替えて、第１ディスプレイ２１に表示させる（ステップＳ６３）。ザッピングモードに切り替えたときの視聴者の心理としては、そのとき視聴している表番組がつまらないので、他のチャンネルに変更したいと望んでいると推測できる。したがって、表示制御部２７４は、その時点で第１ディスプレイ２１に表示している表番組の表示を終了し、即座に現在の映像を表示できる裏番組を第１ディスプレイ２１に表示させる。
【０１１１】
次に、受信番組制御部２７１が順位情報２６に応じて、次の優先順位のチャンネルを、次に裏番組として受信するチャンネルとして決定し（ステップＳ６４）、当該チャンネルを受信するチューナを選択する（ステップＳ６５）。
【０１１２】
ステップＳ６５において受信番組制御部２７１は、切り替えられる前に表番組を受信していたチューナを、切り換え先のチャンネルを受信するチューナとして選択する。切り替えられる前の表番組を受信していたチューナは、当該表番組が切り替えられることにより、受信すべき番組のない状態（空状態）となるからである。これに対して、裏番組を受信していたチューナは、当該裏番組が表番組に切り替えられたことにより、番組の受信を中断することはできない。
【０１１３】
このように、ザッピングモードにおいて、受信番組制御部２７１は第１ディスプレイ２１に表示されている表番組が変更されるときに、変更前の表番組を受信しているチューナに、他のチューナによって受信されていない番組の受信を開始させることにより、ザッピングモードで順次表示される番組を先回りして受信しておくことが可能となる。
【０１１４】
ステップＳ６５が実行されることによって新たに裏番組を受信するチューナが決定されると、新たに受信する裏番組となった番組の受信と、当該番組の復号化が開始される（ステップＳ６６）。
【０１１５】
次に、切替部２７０からのタイミング信号を監視しつつ（ステップＳ６７）、ザッピングモードを終了させるか否かを判定する（ステップＳ６８）。
【０１１６】
タイミング信号が伝達されると、受信システム１はステップＳ６２に戻って処理を繰り返す。なお、タイミング信号を発生させる間隔は、第１デコーダ３３および第２デコーダ３４による復号化が完了するのに充分な時間（数秒程度）である。
【０１１７】
これにより、タイミング信号が与えられるときには、既に、裏番組の復号化が完了しているため、当該裏番組を表番組に切り替えることにより、ステップＳ６３において即座に第１ディスプレイ２１に次のチャンネルの現在の映像を表示できる。
【０１１８】
視聴者が新たなチャンネルを選択した場合には、受信システム１はステップＳ６８においてＹｅｓと判定する。この場合、切替部２７０は動作モードを通常モードに切り替えてから、ザッピング処理を終了し、図３に示す処理に戻る。
【０１１９】
このように、視聴者がザッピングモードを選択することにより、表番組として表示される番組が自動的に次々と変更されるため、視聴者は好みでない番組が表示された場合でも、自発的にチャンネルを変更する必要がない。したがって、視聴者の負担が軽減される。
【０１２０】
受信システム１におけるザッピングモードにおいて表示される表番組は、視聴者が指定した番組ではない（視聴者が指定した順番で表示されるわけではない）。しかしながら、一般にザッピングを行う視聴者は、どの順番でチャンネルを確認したいかよりも、現在、どのような番組が提供されているのかを知りたいものと推測できる。すなわち、どのチャンネルが表示されるかよりも、表示される映像のリアルタイム性の方が重視される状況である。本発明では、ザッピングモードにおいて、表示される映像は常に現在の映像となるように構成されており、表示順と表示時間とが自由にならないことを除けば、アナログ放送におけるザッピングと同じ感覚で各チャンネルの番組を確認することができる。
【０１２１】
また、ザッピングモードにおける表示順は、ステップＳ６４に示すように、視聴者の好みや行動を反映した順位情報２６に基づいて決定される。したがって、より視聴者が視聴したいと望む番組が先に表示されるので、ユーザは効率よく選局することができる。
【０１２２】
なお、視聴者が新たなチャンネルを選択した場合とは、視聴者が第１ディスプレイ２１に表示されている番組のチャンネルを選択した場合と、独自に好みのチャンネルを選択した場合とが考えられる。前者の場合は、ザッピング処理を終了する前に、新たに表番組となった番組について更新部２７２が順位情報２６を更新する。一方、後者の場合は、チャンネル指定情報によって新たに表番組が指定されたものとして、ザッピング処理を終了した後に、ステップＳ１５の表番組切り替え処理が実行される。
【０１２３】
ステップＳ１８においてＮｏと判定するか、またはＳ１９が実行されると、受信システム１のＣＰＵ２７は、図４に示す処理に移行し、フラグＷｏの値が「０」より大きいか否かを判定する（ステップＳ２１）。フラグＷｏの値が「１」または「２」の場合とは、フラグＷｏの値で示されるデコーダによる復号化の完了を待っている状態を示している。
【０１２４】
したがって、ステップＳ２１においてＹｅｓと判定した場合、ＣＰＵ２７は当該デコーダによる復号化が完了したか否かをさらに判定する（ステップＳ３３）。そして復号化が完了している場合、表示制御部２７４は、当該デコーダの出力が第１ディスプレイ２１に伝達されるように切り替えることにより、以後、復号化が完了した表番組（表番組の現在の映像）を第１ディスプレイ２１に表示させる（ステップＳ２３）。これにより、ステップＳ４４が実行されることにより第１ディスプレイ２１に表示されていた番組データ３７の表示は終了する。
【０１２５】
ステップＳ２３の処理と並行して番組情報作成部２７３は、当該デコーダの出力に基づいて、復号化された表番組の番組データ３７の作成を開始する（ステップＳ２４）。そして、ＣＰＵ２７は、フラグＷｏの値を「０」にリセットする（ステップＳ２５）。
【０１２６】
ステップＳ２１，Ｓ２２においてＮｏと判定するか、あるいはステップＳ２５を実行すると、ＣＰＵ２７は、図５に示す処理に移行し、フラグＷｕの値が「０」より大きいか否かを判定する（ステップＳ３１）。フラグＷｕの値が「１」または「２」の場合とは、フラグＷｕの値で示されるデコーダによる復号化の完了を待っている状態を示している。
【０１２７】
したがって、ステップＳ３１においてＹｅｓと判定した場合、ＣＰＵ２７は当該デコーダによる復号化が完了したか否かをさらに判定する（ステップＳ３２）。そして復号化が完了している場合、番組情報作成部２７３は、当該デコーダが復号化している番組（チャンネル）の番組データ３７に、復号化中であることを識別するための識別情報を付加してメモリ３５に格納する（ステップＳ３３）。
【０１２８】
次に、表示制御部２７４が、メモリ３５から番組データ３７を取得して第２ディスプレイ２２に表示させる（ステップＳ３４）。これにより、識別情報も第２ディスプレイ２２に表示されるため、視聴者は、どの裏番組を選択すると、即座に現在の映像が表示されるかを確認することができる。
【０１２９】
ステップＳ３４の処理と並行して番組情報作成部２７３は、当該デコーダの出力に基づいて、復号化された裏番組の番組データ３７の作成を開始する（ステップＳ３５）。そして、ＣＰＵ２７は、フラグＷｕの値を「０」にリセットする（ステップＳ３６）。
【０１３０】
ステップＳ３１，Ｓ３２においてＮｏと判定するか、あるいはステップＳ３６を実行すると、受信システム１は、視聴者がデジタルテレビ放送の視聴を終了するか否かを判定する（ステップＳ３７）。なお、ステップＳ３７における判定は、視聴者が操作部２０を操作して入力する指示情報に基づいて行うことができる。
【０１３１】
視聴者がデジタルテレビ放送の視聴を継続する場合は、ステップＳ３７においてＮｏと判定し、図３のステップＳ１４に戻って処理を繰り返す。一方、視聴者がデジタルテレビ放送の視聴を終了する場合は、ステップＳ３７においてＹｅｓと判定し、現在の表番組のチャンネルを保存して（ステップＳ３８）、処理を終了する。
【０１３２】
図９は、第１ディスプレイ２１および第２ディスプレイ２２に表示される画面の一例である。なお、図９では、図示の都合上、チャンネル番号に関する表示を省略しているが、実際の画面では、どの番組がどのチャンネルで提供されているかを容易に確認できるように、チャンネル番号が表示される（後に示す図１０において同じ。）。
【０１３３】
図９では、表番組として野球中継のチャンネルが選択され、その映像が第１ディスプレイ２１に表示されている。また、第２ディスプレイ２２には、番組データ３７の各チャンネルの情報に応じて、動画像２２０、静止画像２２１，２２２，２２３が表示されている。図９に示す例では、最も優先順位の高い番組は、その映像を動画像２２０として比較的大きなサイズで表示する。また、中間の優先順位の番組は、少し小さなサイズの静止画像２２１，２２２，２２３として表示する。さらに、優先順位の低い番組については、画像（テキスト画像を含む）を表示しない。
【０１３４】
このように、番組情報作成部２７３は、順位情報２６に応じて、各番組（各チャンネル）を複数のカテゴリー（ここでは３段階）に分類し、各カテゴリーごとの画面レイアウトに応じた番組データ３７を作成する。なお、番組データ３７を表示させる表示制御部２７４が、番組データ３７を表示させる際の画面レイアウトを制御してもよい。例えば、番組データ３７には優先順位に関わらず、番組名および番組情報が含まれると説明したが、図９に示す例では、いずれのチャンネルについても番組名および番組情報が表示されていない。このように番組データ３７に含まれる情報についての取捨選択を表示制御部２７４が設定または順位情報２６を参照することにより実行してもよい。
【０１３５】
図９に示す例では、最も優先順位の高い裏番組として、現在視聴されている表番組と同じ野球中継を提供しているチャンネルの番組が動画像２２０として表示されている。また、動画像２２０には、識別情報に基づいて作成されたアイコン画像２２４が付加されており、当該裏番組が現在復号化中であり、即座に映像を切り替え可能であることを示している。なお、識別情報の表現の仕方は、アイコン画像２２４に限定されるものではなく、各画像の枠を強調したりするものであってもよい。さらに、図９に示す例では、表番組との関連性が中間と判断された様々なスポーツに関する番組が、静止画像２２１，２２２，２２３として表示されている。
【０１３６】
以上のように、受信システム１は、取得されたチャンネル指定情報に基づいて複数のチューナのうちの１つに表番組を受信させるとともに、記憶されている順位情報２６に応じてチャンネルを切り替えつつ複数のチューナのうちの少なくとも１つに裏番組を受信させる受信番組制御部２７１と、複数のデコーダによって復号化された番組に基づいて、番組データ３７を作成する番組情報作成部２７３と、第１ディスプレイ２１に表番組を表示させるとともに、番組情報作成部２７３により作成された番組データ３７から裏番組に関する情報を抽出して第２ディスプレイ２２に表示せる表示制御部２７４とを備える。したがって、順位情報２６に応じて受信された裏番組に関する情報がいつでも第２ディスプレイ２２に表示されるので、視聴者に応じた適切な番組を選択することができる。したがって、チャンネル切り替えの発生頻度を抑制することができ、従来の技術に比べて視聴者の快適性が向上する。
【０１３７】
また、表示制御部２７４が、取得されたチャンネル指定情報に示されるチャンネルが、複数のデコーダのうちの少なくとも１つで復号化中の番組を提供しているチャンネルである場合、当該復号化中の番組を表番組として第１ディスプレイ２１に表示させることにより、切り替え先のチャンネルの現在の映像を即座に表示できる。
【０１３８】
また、番組情報作成部２７３が、複数のデコーダのうちの少なくとも１つで復号化中の裏番組を識別する識別情報を当該裏番組に関する情報として番組データ３７に含めることにより、現在放送中の映像を即座に表示可能なチャンネルを、複数の裏番組の中から予め視聴者に知らせることができる。したがって、視聴者は即座に映像を見ることができるチャンネルを効率的に選択することができる。
【０１３９】
また、動作モードをザッピングモードに切り替える切替部２７０を備え、ザッピングモードにおいて、表示制御部２７４が、複数のデコーダのうちの少なくとも１つで復号化中の裏番組を表番組に切り替えて第１ディスプレイ２１に表示させることにより、ザッピングモードに切り替わったときに、即座に、他の番組の現在の映像を表示できる。
【０１４０】
また、表示制御部２７４が、切替部２７０から伝達されるタイミング信号（所定の時間間隔で発生させる）に応じて裏番組を表番組に切り替えることにより、表番組として表示される番組が自動的に次々と変更されるため、視聴者は好みでない番組が表示された場合でも、自発的にチャンネルを変更する必要がない。したがって、視聴者の負担が軽減される。
【０１４１】
また、ザッピングモードにおいて、受信番組制御部２７１は、第１ディスプレイ２１に表示されている表番組が変更されるときに、変更前の表番組を受信しているチューナに、他のチューナによって受信されていない番組の受信を開始させることにより、ザッピングモードで順次表示される番組を先回りして受信しておくことが可能となる。
【０１４２】
また、順位情報２６が、更新部２７２によって、番組を提供するチャンネルの放送電波の受信感度に応じて更新されることにより、受信感度の低いチャンネルの受信を抑制できる。したがって、より適切に裏番組の受信を制御できる。
【０１４３】
また、順位情報２６が、更新部２７２によって、チャンネルごとの過去の視聴率に応じて更新されることにより、視聴者に応じて順位情報２６をカスタマイズできる。
【０１４４】
また、順位情報２６が、更新部２７２によって、表番組に含まれる番組情報と裏番組に含まれる番組情報とに応じて更新されることにより、視聴者に応じて順位情報２６をカスタマイズできる。
【０１４５】
また、番組情報作成部２７３は、記憶された順位情報２６に応じて番組データ３７を作成することにより、順位情報２６に応じて、順位の高い番組は「動画」、順位が中間の番組は「静止画」、順位の低い番組は「文字情報」あるいは「表示しない」といったように、当該番組に関する情報を変更することにより、第２ディスプレイ２２における表現方法を番組ごとに変更できる。
【０１４６】
また、受信システム１は、主表示領域を表示する第１ディスプレイと、補助表示領域を表示する第２ディスプレイとを備えることにより、主表示領域を表示する専用のハードウェアが設けられるので表番組が見やすくなる。また、表示手段に表示されている情報の区別がつきやすい。
【０１４７】
なお、上記実施の形態では詳細な説明を省略したが、表番組については、放送されている全ての情報（映像、音声、字幕、番組名、番組内容、番組のジャンル、データ放送で使用する情報等）を復号化し、保存しておくものとする。
【０１４８】
＜２．  変形例＞
以上、本発明の実施の形態について説明してきたが、本発明は上記実施の形態に限定されるものではなく様々な変形が可能である。
【０１４９】
例えば、上記実施の形態では、受信システム１は、本体部２にカード３を装着することにより実現すると説明したが、本体部２の構成とカード３の構成とが一体的な装置を構成していてもよい。
【０１５０】
また、各裏番組を受信する時間や頻度を順位情報２６に応じて変更してもよい。
【０１５１】
また、上記実施の形態では、裏番組について画面に表示する付加的な情報として識別情報（どのチャンネルを裏番組として受信中かを識別するための情報）を表示させる例を説明した。しかし、付加的な情報としては、識別情報に限定されるものではなく、チューナの受信感度を示す情報（受信感度に応じて表示方法を変更することを含む。）、新番組であることを示す情報、あるいは過去の同時刻に視聴していた番組を示す情報（ 例えば吹き出し状の画像で表示する。）等であってもよい。
【０１５２】
また、上記実施の形態では、順位情報２６に応じて、各チャンネルが順次に裏番組として受信される例を説明した。しかし、番組名、番組のジャンル、番組内容情報は、同一の番組が放送されている間は変化しない情報である。したがって、順位情報２６における優先順位が低く、これらの変化しない情報のみによって番組データ３７が作成されるチャンネルについては、同一の番組が放送されている間は裏番組としての受信をスキップするように構成してもよい。これにより、優先順位の高いチャンネルについての番組データ３７の更新頻度を高くすることができる。すなわち、優先順位の高いチャンネルについての番組データ３７のリアルタイム性が向上する。
【０１５３】
また、受信システム１は、ハードウェアとして異なる２つの表示装置（第１ディスプレイ２１および第２ディスプレイ２２）を備えていると説明した。しかし、本発明は、１つの表示装置における表示領域を２つの表示領域（主表示領域および補助表示領域）に分割することにより実現してもよい。
【０１５４】
図１０は、変形例における第１ディスプレイ２１の表示領域を分割した状態の画面の一例である。なお、図１０は、図９に示す例と同様の状況（レイアウトのみ異なる状態）を示している。
【０１５５】
図１０に示す例では、第１ディスプレイ２１の画面が主表示領域と補助表示領域とに分割され、第１ディスプレイ２１に裏番組のうちの優先順位が最も高かった番組に関する動画像２１０およびアイコン画像２１１が表示されている。また、第２ディスプレイ２２には、優先順位の低い番組の番組名、チャンネル番号、番組の字幕等といったテキスト画像２２７が表示されている。なお、テキスト画像として表示する情報は、これに限定されるものではなく、受信時刻等を含めてもよい。
【図面の簡単な説明】
【０１５６】
【図１】本発明に係る受信システムの構成を示す図である。
【図２】受信システムの機能ブロックをデータの流れとともに示す図である。
【図３】本発明に係る受信方法を示す流れ図である。
【図４】本発明に係る受信方法を示す流れ図である。
【図５】本発明に係る受信方法を示す流れ図である。
【図６】表番組切り替え処理を示す流れ図である。
【図７】裏番組切り替え処理を示す流れ図である。
【図８】ザッピング処理を示す流れ図である。
【図９】第１ディスプレイおよび第２ディスプレイに表示される画面の一例である。
【図１０】変形例における第１ディスプレイの表示領域を分割した状態の画面の一例である。
【符号の説明】
【０１５７】
１  受信システム
２  本体部
２０  操作部
２１  第１ディスプレイ
２２  第２ディスプレイ
２１１，２２４  アイコン画像
２３  カードスロット
２４，３５  メモリ
２５，３６  プログラム
２６  順位情報
２７  ＣＰＵ
２７０  切替部
２７１  受信番組制御部
２７２  更新部
２７３  番組情報作成部
２７４  表示制御部
３  カード
３１  第１チューナモジュール
３２  第２チューナモジュール
３３  第１デコーダ
３４  第２デコーダ
３７  番組データ
【図１】
2010153953.tif 000003
【図２】
2010153953.tif 000004
【図３】
2010153953.tif 000005
【図４】
2010153953.tif 000006
【図５】
2010153953.tif 000007
【図６】
2010153953.tif 000008
【図７】
2010153953.tif 000009
【図８】
2010153953.tif 000010
【図９】
2010153953.tif 000011
【図１０】
2010153953.tif 000012